(57)【特許請求の範囲】
【請求項１】
撮像素子を移動させて像ぶれ補正を行うための像ぶれ補正ユニットを有し、レンズ装置が着脱可能に構成された撮像装置であって、
前記レンズ装置を装着するためのレンズマウントと、
前記レンズマウントが挿入される開口を有する外装筐体と、
前記像ぶれ補正ユニットにおける前記撮像素子の受光面に隣接する位置に、前記受光面に入射する光を遮断するための部材が通過する開口を有するシャッタ機構と、
前記外装筐体と前記シャッタ機構の間に配置された、前記レンズマウントを支持するマウントベースと、を備え、
前記外装筐体の一部が前記シャッタ機構を支持し、
前記マウントベースが前記像ぶれ補正ユニットを支持し、
前記外装筐体の一部に前記マウントベースが支持されている撮像装置。
【請求項２】
請求項１記載の撮像装置であって、
前記外装筐体の一部の固有振動数は、前記マウントベースの固有振動数よりも低い撮像装置。
【請求項３】
請求項１又は２記載の撮像装置であって、
前記外装筐体の一部に前記マウントベースが直接固定されている撮像装置。
【請求項４】
請求項１から３のいずれか１項記載の撮像装置であって、
前記外装筐体の一部は、前記受光面に垂直な方向から見た状態における前記像ぶれ補正ユニットよりも外側の位置、において前記シャッタ機構を支持している撮像装置。
【請求項５】
請求項１から４のいずれか１項記載の撮像装置であって、
前記シャッタ機構は、フォーカルプレーンシャッタである撮像装置。
【請求項６】
撮像素子を移動させて像ぶれ補正を行うための像ぶれ補正ユニットを有する撮像装置であって、
前記像ぶれ補正ユニットにおける前記撮像素子の受光面に隣接する位置に、前記受光面に入射する光を遮断するための部材が通過する開口を有するシャッタ機構と、
前記シャッタ機構を支持する第一の支持部材と、
前記像ぶれ補正ユニットを支持する第二の支持部材と、
前記第一の支持部材と前記第二の支持部材の間に設けられた、前記第一の支持部材から前記第二の支持部材に伝わる振動を減衰させるための減衰部材と、を備え、
前記第一の支持部材に対し、前記第二の支持部材が前記減衰部材を介して固定されている撮像装置。
【発明の詳細な説明】
【技術分野】
【０００１】
本発明は、撮像装置に関する。
【背景技術】
【０００２】
撮像光学系を通して被写体を撮像する撮像素子を備えた撮像装置、又はこのような撮像装置に装着して用いられるレンズ装置には、装置が振動することによって生じる撮像画像のぶれ（以下、像ぶれという）を補正するための像ぶれ補正ユニットを有するものがある（特許文献１−４参照）。
【先行技術文献】
【特許文献】
【０００３】
【特許文献１】日本国特開２００６−０７９００９号公報
【特許文献２】日本国特開２００７−２０６５５３号公報
【特許文献３】日本国特開平０７−０３６０７４号公報
【特許文献４】日本国特開２０１２−０４８２１５号公報
【発明の概要】
【発明が解決しようとする課題】
【０００４】
特許文献１，２，４に記載されているように、撮像素子を移動させることで像ぶれを補正する像ぶれ補正ユニットを有する撮像装置においては、撮像素子の直近（具体的には前方）にフォーカルプレーンシャッタ等のメカニカルシャッタが配置されていると、このメカニカルシャッタの開閉動作による振動が像ぶれ補正ユニットに伝達されることで、像ぶれを精度よく補正できなくなる可能性がある。【０００５】
特許文献１に記載の撮像装置は、像ぶれ補正ユニットの前方にメカニカルシャッタが配置される構成であるが、上述した課題については認識されていない。【０００６】
特許文献２に記載の撮像装置は、像ぶれ補正ユニットとメカニカルシャッタの間にレンズが配置される構成であり、像ぶれ補正ユニットとメカニカルシャッタとの距離が大きいため、上述した課題については認識されていない。【０００７】
特許文献３に記載の撮像装置は、レンズを移動させることで像ぶれを補正するユニットの前方にメカニカルシャッタが配置される構成であり、上述した課題については認識されていない。レンズを移動させるユニットは、撮像素子を移動させるユニットと比較すると、その重量が大きい。そのため、メカニカルシャッタの動作による振動の影響は軽微である。【０００８】
特許文献４に記載の撮像装置は、像ぶれ補正ユニットの前方にメカニカルシャッタが配置される構成であるが、上述した課題については認識されていない。【０００９】
本発明は、上記事情に鑑みてなされたものであり、撮像素子を移動させて像ぶれを補正する撮像装置であって、メカニカルシャッタの動作によって生じる振動を、撮像素子を移動させる機構に伝達されにくくして撮像品質を向上させることのできる撮像装置を提供することを目的とする。
【課題を解決するための手段】
【００１０】
本発明の撮像装置は、撮像素子を移動させて像ぶれ補正を行うための像ぶれ補正ユニットを有する撮像装置であって、上記像ぶれ補正ユニットにおける上記撮像素子の受光面に隣接する位置に、上記受光面に入射する光を遮断するための部材が通過する開口を有するシャッタ機構と、上記シャッタ機構を支持する第一の支持部材と、上記像ぶれ補正ユニットを支持する第二の支持部材と、を備え、上記第一の支持部材に上記第二の支持部材が支持されているものである。
【発明の効果】
【００１１】
本発明によれば、撮像素子を移動させて像ぶれを補正する撮像装置であって、メカニカルシャッタの動作によって生じる振動を、撮像素子を移動させる機構に伝達されにくくして撮像品質を向上させることのできる撮像装置を提供することができる。
【図面の簡単な説明】
【００１２】
【図１】本発明の撮像装置の一実施形態であるデジタルカメラ１００の外観構成を模式的に示す正面図である。
【図２】図１に示すデジタルカメラ１００の外装筐体１０の内部の一部の構成を模式的に示す図である。
【図３】図２に示すデジタルカメラ１００の各構成要素の分解斜視図である。
【図４】図２に示す前側筐体内の構成の変形例を示す図である。
【図５】図４の方向Ａからみた模式図である。
【図６】図４及び図５に示す変形例のデジタルカメラ１００の一部の組み立て工程を説明するための模式図である。
【図７】図４及び図５に示す変形例のデジタルカメラ１００の一部の組み立て工程を説明するための模式図である。
【図８】図４及び図５に示す変形例のデジタルカメラ１００の一部の組み立て工程を説明するための模式図である。
【図９】本発明の撮像装置の別実施形態であるスマートフォン２００の外観を示すものである。
【図１０】図９に示すスマートフォン２００の構成を示すブロック図である。
【発明を実施するための形態】
【００１３】
以下、本発明の実施形態について図面を参照して説明する。
【００１４】
図１は、本発明の撮像装置の一実施形態であるデジタルカメラ１００の外観構成を模式的に示す正面図である。デジタルカメラ１００は、レンズ装置を着脱可能な所謂レンズ交換型のデジタルカメラである。
【００１５】
デジタルカメラ１００は、レンズ装置を装着し且つレンズ装置に対する通電を行うためのリング状のレンズマウント２０と、レンズマウント２０を挿入するための開口１０ａが形成された外装筐体１０と、レンズマウント２０に装着されたレンズ装置を通して被写体を撮像する撮像素子５４と、を備える。外装筐体１０は、被写体側の前側筐体と、その反対側の後側筐体とによって構成されている。外装筐体１０は、例えば樹脂によって構成されている。
【００１６】
レンズ装置は、焦点位置を調節するためのフォーカスレンズ又は焦点距離を調節するためのズームレンズ等のレンズと、絞り等を含む。
【００１７】
図２は、図１に示すデジタルカメラ１００の外装筐体１０の前側筐体内部の構成を模式的に示す図である。図２は、被写体側と反対側から前側筐体の内部を見た図となっている。図３は、図２に示すデジタルカメラ１００の各構成要素の分解斜視図である。
【００１８】
図２及び図３に示すように、デジタルカメラ１００の外装筐体１０の内部には、マウントベース３０と、シャッタ機構４０と、像ぶれ補正ユニット５０とが、開口１０ａ側からこの順番に並んで配置されている。
【００１９】
マウントベース３０は、レンズマウント２０を支持している。マウントベース３０は、レンズマウント２０と対向する部分に開口３０ｋ（図３参照）が形成された平板状の部材である。マウントベース３０は、例えば金属によって構成されている。マウントベース３０は、外装筐体１０の前側筐体にネジ止め又は接着等によって直接固定されている。つまり、マウントベース３０は、外装筐体１０の前側筐体によって支持されている。
【００２０】
像ぶれ補正ユニット５０は、図１に示した撮像素子５４を含み、撮像素子５４を移動させて像ぶれ補正を行うための機構である。像ぶれ補正ユニット５０は、ネジ止め又は接着等によってマウントベース３０に固定されている。つまり、像ぶれ補正ユニット５０は、マウントベース３０によって支持されている。マウントベース３０は、像ぶれ補正ユニット５０を支持する第二の支持部材を構成する。
【００２１】
図２及び図３の例では、像ぶれ補正ユニット５０の端部５２ａ（図３参照）と、マウントベース３０の端部３２（図３参照）とが、図２に示すネジ５２によって固定されている。また、像ぶれ補正ユニット５０の端部５３ａ（図３参照）と、マウントベース３０の端部３３（図３参照）とが、図２に示すネジ５３によって固定されている。また、像ぶれ補正ユニット５０の端部５１ａ（図３参照）と、マウントベース３０の端部３１（図３参照）とが、図２に示すネジ５１によって固定されている。
【００２２】
シャッタ機構４０は、像ぶれ補正ユニット５０における撮像素子５４の受光面５４ａ（図１参照）に隣接する位置（具体的には受光面５４ａの正面）に、受光面５４ａに入射する光を遮断するための部材が通過する開口４０ａを有する。開口４０ａは、マウントベース３０の開口３０ｋに対向して配置される。
【００２３】
シャッタ機構４０は、具体的には、フォーカルプレーンシャッタであり、開口４０ａ内を移動する先幕と後幕が上記の部材を構成する。シャッタ機構４０は、レンズシャッタに用いられるシャッタ羽根を開閉させることで開口４０ａを通る光の遮断と通過を制御するものであってもよい。
【００２４】
なお、撮像素子５４の受光面５４ａとシャッタ機構４０の開口４０ａとの間の距離はごくわずかであり、この間に物体は存在していない。
【００２５】
シャッタ機構４０は、外装筐体１０の前側筐体にネジ止め又は接着等によって固定されている。つまり、シャッタ機構４０は外装筐体１０の前側筐体によって支持されている。外装筐体１０の前側筐体は、シャッタ機構４０を支持する第一の支持部材を構成する。
【００２６】
図２及び図３の例では、シャッタ機構４０の端部４１ａ（図３参照）と、外装筐体１０に設けられた孔部１１とが、図２に示すネジ４１によって固定されている。ネジ４１は、マウントベース３０に形成された貫通孔３５を通って孔部１１に固定されている。貫通孔３５は、ネジ４１と貫通孔３５の内周面とが接触しない程度の大きさとなっている。
【００２７】
また、シャッタ機構４０の端部４３ａ（図３参照）と、外装筐体１０に設けられた孔部１３とが、図２に示すネジ４３によって固定されている。また、シャッタ機構４０の端部４４ａ（図３参照）と、外装筐体１０に設けられた孔部１４とが、図２に示すネジ４４によって固定されている。
【００２８】
以上のように、デジタルカメラ１００は、シャッタ機構４０が外装筐体１０の前側筐体によって支持され、像ぶれ補正ユニット５０がマウントベース３０によって支持され、外装筐体１０にマウントベース３０が支持される構成である。
【００２９】
この構成によれば、シャッタ機構４０のシャッタ開閉動作によって生じる振動は、外装筐体１０の前側筐体、マウントベース３０、像ぶれ補正ユニット５０の順番に伝達される。このように、この振動の伝達経路が長くなることで、この振動を充分に減衰させることができ、像ぶれ補正ユニット５０による像ぶれ補正性能を向上させることができる。
【００３０】
また、デジタルカメラ１００は、マウントベース３０にシャッタ機構４０が固定されない構成である。このため、シャッタ機構４０が大きくなる場合であっても、マウントベース３０の大型化を防ぐことができ、外装筐体１０の小型化が可能になる。
【００３１】
なお、デジタルカメラ１００において、外装筐体１０とマウントベース３０は、固有振動数の異なる材料によって構成されていることが好ましい。具体的には、外装筐体１０は、マウントベース３０よりも固有振動数の低い材料によって構成されていることが好ましい。
【００３２】
このように、外装筐体１０の固有振動数をマウントベース３０の固有振動数よりも低くすることで、シャッタ機構４０から像ぶれ補正ユニット５０に伝達される振動をより効果的に減衰させることができる。
【００３３】
また、デジタルカメラ１００において、外装筐体１０の前側筐体とマウントベース３０の間に、外装筐体１０の前側筐体からマウントベース３０に伝達される振動を減衰させるためのゴム等の減衰部材を追加し、外装筐体１０とマウントベース３０とがこの減衰部材を介して互いに固定される構成とすることが好ましい。この構成によれば、シャッタ機構４０から像ぶれ補正ユニット５０に伝達される振動を更に減衰させることができる。
【００３４】
また、デジタルカメラ１００において、外装筐体１０の前側筐体とシャッタ機構４０の間に、シャッタ機構４０から外装筐体１０に伝達される振動を減衰させるためのゴム等の減衰部材を追加し、外装筐体１０の前側筐体とシャッタ機構４０とがこの減衰部材を介して互いに固定される構成としてもよい。
【００３５】
この構成によれば、シャッタ機構４０から像ぶれ補正ユニット５０に伝達される振動を更に減衰させることができる。なお、像ぶれ補正ユニット５０とマウントベース３０との固定に関しては、像ぶれ補正ユニット５０の平面性を確保するために、これらが直接固定されていることが好ましい。
【００３６】
図４は、図２に示すデジタルカメラ１００の前側筐体内の構成の変形例を示す図である。図５は、図４の方向Ａからみた模式図である。図４に示す変形例は、外装筐体１０の前側筐体に対しネジ４１にて固定される部分であるシャッタ機構４０の端部４１ａが、像ぶれ補正ユニット５０よりも外側に位置している点を除いては、図２に示す構成と同じである。なお、図５では、マウントベース３０を外装筐体１０に固定するためのネジ６１とネジ６２が示されている。
【００３７】
図６から図８は、図４及び図５に示す変形例のデジタルカメラ１００の一部の組み立て工程を説明するための模式図である。まず、レンズマウント２０とマウントベース３０とを接着又はネジ止め等により固定し、その後、図６に示すように、ネジ５２，５３によって、マウントベース３０に対して像ぶれ補正ユニット５０を固定する。
【００３８】
次に、図７に示すように、外装筐体１０の前側筐体の開口１０ａにレンズマウント２０を挿入し、外装筐体１０の前側筐体に対し、マウントベース３０を、ネジ６１，６２（図５参照）によって固定する。
【００３９】
最後に、図８に示すように、マウントベース３０の端部３２，３３の下方のスペースにシャッタ機構４０を挿入し、その後、シャッタ機構４０の端部４１ａを外装筐体１０の前側筐体の孔部１１にネジ５２にて固定し、シャッタ機構４０の端部４３ａ，４４ａを外装筐体１０の前側筐体の孔部１３，１４にネジ４３，４４にて固定して、組み立てを完了する。
【００４０】
以上の変形例は、図４に示すように、受光面５４ａに垂直な方向から見た状態において、像ぶれ補正ユニット５０よりも外側の位置（ネジ４１、４３、４４の位置）にて、外装筐体１０の前側筐体がシャッタ機構４０を支持する構成である。この構成によれば、図８に示したように、像ぶれ補正ユニット５０とマウントベース３０との固定を維持したまま、シャッタ機構４０の外装筐体１０の前側筐体への着脱が可能となる。
【００４１】
像ぶれ補正ユニット５０は、平面性が重要となるため、マウントベース３０に対して高精度に位置決めされて固定される。例えば、シャッタ機構４０のメンテナンス又は交換を行う際に、像ぶれ補正ユニット５０の固定を解除する方法では、この像ぶれ補正ユニット５０を再固定するための作業コストが発生する。しかし、上記の変形例によれば、像ぶれ補正ユニット５０の固定を維持したままシャッタ機構４０の取り外しが可能となる。このため、デジタルカメラ１００のメンテナンス時の作業負荷及びコストを軽減することができる。
【００４２】
ここまで説明してきたデジタルカメラ１００は、レンズ装置を着脱可能なものとしたが、レンズ装置が外装筐体に固定されたデジタルカメラであっても、像ぶれ補正ユニット５０を支持する部材と、シャッタ機構４０を支持する部材とを別部材にし、これら２つの部材が直接又は減衰部材を介して固定されることで、シャッタ機構４０の振動が像ぶれ補正ユニット５０に伝達されるのを防ぐことができる。
【００４３】
次に、本発明の撮像装置の別実施形態としてスマートフォンの構成について説明する。
【００４４】
図９は、本発明の撮像装置の別実施形態であるスマートフォン２００の外観を示すものである。
【００４５】
図９に示すスマートフォン２００は、平板状の筐体２０１を有し、筐体２０１の一方の面に表示面としての表示パネル２０２と、入力部としての操作パネル２０３とが一体となった表示入力部２０４を備えている。
【００４６】
また、この様な筐体２０１は、スピーカ２０５と、マイクロホン２０６と、操作部２０７と、カメラ部２０８とを備えている。
【００４７】
なお、筐体２０１の構成はこれに限定されず、例えば、表示面と入力部とが独立した構成を採用したり、折り畳み構造又はスライド機構を有する構成を採用したりすることもできる。
【００４８】
図１０は、図９に示すスマートフォン２００の構成を示すブロック図である。
【００４９】
図１０に示すように、スマートフォンの主たる構成要素として、無線通信部２１０と、表示入力部２０４と、通話部２１１と、操作部２０７と、カメラ部２０８と、記憶部２１２と、外部入出力部２１３と、ＧＰＳ（Ｇｌｏｂａｌ  Ｐｏｓｉｔｉｏｎｉｎｇ  Ｓｙｓｔｅｍ）受信部２１４と、モーションセンサ部２１５と、電源部２１６と、主制御部２２０とを備える。
【００５０】
また、スマートフォン２００の主たる機能として、図示省略の基地局装置ＢＳと図示省略の移動通信網ＮＷとを介した移動無線通信を行う無線通信機能を備える。
【００５１】
無線通信部２１０は、主制御部２２０の指示にしたがって、移動通信網ＮＷに収容された基地局装置ＢＳに対し無線通信を行うものである。この無線通信を使用して、音声データ、画像データ等の各種ファイルデータ、電子メールデータ等の送受信、ウェブデータ又はストリーミングデータ等の受信を行う。
【００５２】
表示入力部２０４は、主制御部２２０の制御により、画像（静止画像及び動画像）又は文字情報等を表示して視覚的に利用者に情報を伝達するとともに、表示した情報に対する利用者操作を検出する、いわゆるタッチパネルであって、表示パネル２０２と、操作パネル２０３と、を備える。
【００５３】
表示パネル２０２は、ＬＣＤ（Ｌｉｑｕｉｄ  Ｃｒｙｓｔａｌ  Ｄｉｓｐｌａｙ）、ＯＥＬＤ（Ｏｒｇａｎｉｃ  Ｅｌｅｃｔｒｏ−Ｌｕｍｉｎｅｓｃｅｎｃｅ  Ｄｉｓｐｌａｙ）等を表示デバイスとして用いたものである。
【００５４】
操作パネル２０３は、表示パネル２０２の表示面上に表示される画像を視認可能に載置され、利用者の指又は尖筆によって操作される一又は複数の座標を検出するデバイスである。このデバイスを利用者の指又は尖筆によって操作すると、操作に起因して発生する検出信号を主制御部２２０に出力する。次いで、主制御部２２０は、受信した検出信号に基づいて、表示パネル２０２上の操作位置（座標）を検出する。
【００５５】
図１０に示すように、本発明の撮影装置の一実施形態として例示しているスマートフォン２００の表示パネル２０２と操作パネル２０３とは一体となって表示入力部２０４を構成しているが、操作パネル２０３が表示パネル２０２を完全に覆うような配置となっている。
【００５６】
係る配置を採用した場合、操作パネル２０３は、表示パネル２０２外の領域についても、利用者操作を検出する機能を備えてもよい。換言すると、操作パネル２０３は、表示パネル２０２に重なる重畳部分についての検出領域（以下、表示領域と称する）と、それ以外の表示パネル２０２に重ならない外縁部分についての検出領域（以下、非表示領域と称する）とを備えていてもよい。
【００５７】
なお、表示領域の大きさと表示パネル２０２の大きさとを完全に一致させても良いが、両者を必ずしも一致させる必要は無い。
【００５８】
また、操作パネル２０３が、外縁部分と、それ以外の内側部分の２つの感応領域を備えていてもよい。さらに、外縁部分の幅は、筐体２０１の大きさ等に応じて適宜設計されるものである。
【００５９】
さらにまた、操作パネル２０３で採用される位置検出方式としては、マトリクススイッチ方式、抵抗膜方式、表面弾性波方式、赤外線方式、電磁誘導方式、静電容量方式等が挙げられ、いずれの方式を採用することもできる。
【００６０】
通話部２１１は、スピーカ２０５又はマイクロホン２０６を備え、マイクロホン２０６を通じて入力された利用者の音声を主制御部２２０にて処理可能な音声データに変換して主制御部２２０に出力したり、無線通信部２１０あるいは外部入出力部２１３により受信された音声データを復号してスピーカ２０５から出力させたりするものである。
【００６１】
また、図９に示すように、例えば、スピーカ２０５を表示入力部２０４が設けられた面と同じ面に搭載し、マイクロホン２０６を筐体２０１の側面に搭載することができる。
【００６２】
操作部２０７は、キースイッチ等を用いたハードウェアキーであって、利用者からの指示を受け付けるものである。
【００６３】
例えば、図９に示すように、操作部２０７は、スマートフォン２００の筐体２０１の側面に搭載され、指等で押下されるとオンとなり、指を離すとバネ等の復元力によってオフ状態となる押しボタン式のスイッチである。
【００６４】
記憶部２１２は、主制御部２２０の制御プログラム及び制御データ、アプリケーションソフトウェア、通信相手の名称又は電話番号等を対応づけたアドレスデータ、送受信した電子メールのデータ、ＷｅｂブラウジングによりダウンロードしたＷｅｂデータ、ダウンロードしたコンテンツデータを記憶し、またストリーミングデータ等を一時的に記憶するものである。また、記憶部２１２は、スマートフォン内蔵の内部記憶部２１７と着脱自在な外部メモリスロットを有する外部記憶部２１８により構成される。
【００６５】
なお、記憶部２１２を構成するそれぞれの内部記憶部２１７と外部記憶部２１８は、フラッシュメモリタイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えば、ＭｉｃｒｏＳＤ（登録商標）メモリ等）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等の格納媒体を用いて実現される。
【００６６】
外部入出力部２１３は、スマートフォン２００に連結される全ての外部機器とのインターフェースの役割を果たすものであり、他の外部機器に通信等（例えば、ユニバーサルシリアルバス（Ｕｎｉｖｅｒｓａｌ  Ｓｅｒｉａｌ  Ｂｕｓ：ＵＳＢ）、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４等）又はネットワーク（例えば、インターネット、無線ＬＡＮ、ブルートゥース（Ｂｌｕｅｔｏｏｔｈ）（登録商標）、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ：ＩｒＤＡ）（登録商標）、ＵＷＢ（Ｕｌｔｒａ  Ｗｉｄｅｂａｎｄ）（登録商標）、ジグビー（ＺｉｇＢｅｅ）（登録商標）等）により直接的又は間接的に接続するためのものである。
【００６７】
スマートフォン２００に連結される外部機器としては、例えば、有／無線ヘッドセット、有／無線外部充電器、有／無線データポート、カードソケットを介して接続されるメモリカード（Ｍｅｍｏｒｙ  ｃａｒｄ）、ＳＩＭ（Ｓｕｂｓｃｒｉｂｅｒ  Ｉｄｅｎｔｉｔｙ  Ｍｏｄｕｌｅ  Ｃａｒｄ）／ＵＩＭ（Ｕｓｅｒ  Ｉｄｅｎｔｉｔｙ  Ｍｏｄｕｌｅ  Ｃａｒｄ）カード、オーディオ・ビデオＩ／Ｏ（Ｉｎｐｕｔ／Ｏｕｔｐｕｔ）端子を介して接続される外部オーディオ・ビデオ機器、無線接続される外部オーディオ・ビデオ機器、有／無線接続されるスマートフォン、有／無線接続されるパーソナルコンピュータ、有／無線接続されるパーソナルコンピュータ、イヤホン等がある。
【００６８】
外部入出力部２１３は、このような外部機器から伝送を受けたデータをスマートフォン２００の内部の各構成要素に伝達したり、スマートフォン２００の内部のデータが外部機器に伝送されるようにしたりすることができる。
【００６９】
ＧＰＳ受信部２１４は、主制御部２２０の指示にしたがって、ＧＰＳ衛星ＳＴ１〜ＳＴｎから送信されるＧＰＳ信号を受信し、受信した複数のＧＰＳ信号に基づく測位演算処理を実行し、スマートフォン２００の緯度、経度、高度からなる位置を検出する。
【００７０】
ＧＰＳ受信部２１４は、無線通信部２１０又は外部入出力部２１３（例えば、無線ＬＡＮ）から位置情報を取得できる時には、その位置情報を用いて位置を検出することもできる。
【００７１】
モーションセンサ部２１５は、例えば、３軸の加速度センサ等を備え、主制御部２２０の指示にしたがって、スマートフォン２００の物理的な動きを検出する。
【００７２】
スマートフォン２００の物理的な動きを検出することにより、スマートフォン２００の動く方向又は加速度が検出される。係る検出結果は、主制御部２２０に出力されるものである。
【００７３】
電源部２１６は、主制御部２２０の指示にしたがって、スマートフォン２００の各部に、バッテリ（図示しない）に蓄えられる電力を供給するものである。
【００７４】
主制御部２２０は、マイクロプロセッサを備え、記憶部２１２が記憶する制御プログラム及び制御データにしたがって動作し、スマートフォン２００の各部を統括して制御するものである。
【００７５】
また、主制御部２２０は、無線通信部２１０を通じて、音声通信又はデータ通信を行うために、通信系の各部を制御する移動通信制御機能と、アプリケーション処理機能を備える。
【００７６】
アプリケーション処理機能は、記憶部２１２が記憶するアプリケーションソフトウェアにしたがって主制御部２２０が動作することにより実現するものである。
【００７７】
アプリケーション処理機能としては、例えば、外部入出力部２１３を制御して対向機器とデータ通信を行う赤外線通信機能、電子メールの送受信を行う電子メール機能、又はウェブページを閲覧するウェブブラウジング機能等がある。
【００７８】
また、主制御部２２０は、受信データ又はダウンロードしたストリーミングデータ等の画像データ（静止画像又は動画像のデータ）に基づいて、映像を表示入力部２０４に表示する等の画像処理機能を備える。
【００７９】
画像処理機能とは、主制御部２２０が、上記画像データを復号し、この復号結果に画像処理を施して、画像を表示入力部２０４に表示する機能のことをいう。
【００８０】
さらに、主制御部２２０は、表示パネル２０２に対する表示制御と、操作部２０７、操作パネル２０３を通じた利用者操作を検出する操作検出制御を実行する。
【００８１】
表示制御の実行により、主制御部２２０は、アプリケーションソフトウェアを起動するためのアイコン又はスクロールバー等のソフトウェアキーを表示したり、あるいは電子メールを作成したりするためのウィンドウを表示する。
【００８２】
なお、スクロールバーとは、表示パネル２０２の表示領域に収まりきれない大きな画像等について、画像の表示部分を移動する指示を受け付けるためのソフトウェアキーのことをいう。
【００８３】
また、操作検出制御の実行により、主制御部２２０は、操作部２０７を通じた利用者操作を検出したり、操作パネル２０３を通じて、上記アイコンに対する操作と上記ウィンドウの入力欄に対する文字列の入力を受け付けたり、あるいは、スクロールバーを通じた表示画像のスクロール要求を受け付けたりする。
【００８４】
さらに、操作検出制御の実行により主制御部２２０は、操作パネル２０３に対する操作位置が、表示パネル２０２に重なる重畳部分（表示領域）か、それ以外の表示パネル２０２に重ならない外縁部分（非表示領域）かを判定し、操作パネル２０３の感応領域又はソフトウェアキーの表示位置を制御するタッチパネル制御機能を備える。
【００８５】
また、主制御部２２０は、操作パネル２０３に対するジェスチャ操作を検出し、検出したジェスチャ操作に応じて、予め設定された機能を実行することもできる。
【００８６】
ジェスチャ操作とは、従来の単純なタッチ操作ではなく、指等によって軌跡を描いたり、複数の位置を同時に指定したり、あるいはこれらを組み合わせて、複数の位置から少なくとも１つについて軌跡を描く操作を意味する。
【００８７】
カメラ部２０８は、図１に示したデジタルカメラ１００のシャッタ機構４０及び像ぶれ補正ユニット５０を含む。
【００８８】
スマートフォン２００では、主制御部２２０が、モーションセンサ部２１５の情報に基づいて像ぶれ補正ユニット５０を制御して像ぶれ補正を行う。
【００８９】
カメラ部２０８によって生成された撮像画像データは、記憶部２１２に記憶したり、外部入出力部２１３又は無線通信部２１０を通じて出力したりすることができる。
【００９０】
図９に示すスマートフォン２００において、カメラ部２０８は表示入力部２０４と同じ面に搭載されているが、カメラ部２０８の搭載位置はこれに限らず、表示入力部２０４の背面に搭載されてもよい。
【００９１】
また、カメラ部２０８はスマートフォン２００の各種機能に利用することができる。例えば、表示パネル２０２にカメラ部２０８で取得した画像を表示したり、操作パネル２０３の操作入力のひとつとして、カメラ部２０８の画像を利用したりすることができる。
【００９２】
また、ＧＰＳ受信部２１４が位置を検出する際に、カメラ部２０８からの画像を参照して位置を検出することもできる。さらには、カメラ部２０８からの画像を参照して、３軸の加速度センサを用いずに、或いは、３軸の加速度センサと併用して、スマートフォン２００のカメラ部２０８の光軸方向を判断したり、現在の使用環境を判断したりすることもできる。勿論、カメラ部２０８からの画像をアプリケーションソフトウェア内で利用することもできる。
【００９３】
その他、静止画又は動画の画像データにＧＰＳ受信部２１４により取得した位置情報、マイクロホン２０６により取得した音声情報（主制御部等により、音声テキスト変換を行ってテキスト情報となっていてもよい）、モーションセンサ部２１５により取得した姿勢情報等を付加して記憶部２１２に記憶したり、外部入出力部２１３又は無線通信部２１０を通じて出力したりすることもできる。
【００９４】
以上の構成のスマートフォン２００においても、像ぶれ補正ユニット５０を支持する部材と、シャッタ機構４０を支持する部材とを別部材にし、これら２つの部材が直接又は減衰部材を介して固定されることで、シャッタ機構４０の振動が像ぶれ補正ユニット５０に伝達されるのを防ぐことができる。
【００９５】
以上説明してきたように、本明細書には以下の事項が開示されている。
【００９６】
（１）
撮像素子を移動させて像ぶれ補正を行うための像ぶれ補正ユニットを有する撮像装置であって、
上記像ぶれ補正ユニットにおける上記撮像素子の受光面に隣接する位置に、上記受光面に入射する光を遮断するための部材が通過する開口を有するシャッタ機構と、
上記シャッタ機構を支持する第一の支持部材と、
上記像ぶれ補正ユニットを支持する第二の支持部材と、を備え、
上記第一の支持部材に上記第二の支持部材が支持されている撮像装置。
【００９７】
（２）
（１）記載の撮像装置であって、
レンズ装置が着脱可能に構成された撮像装置。
【００９８】
（３）
（２）記載の撮像装置であって、
上記レンズ装置を装着するためのレンズマウントと、
上記レンズマウントが挿入される開口を有する外装筐体と、
上記外装筐体と上記シャッタ機構の間に配置された、上記レンズマウントを支持するマウントベースと、を備え、
上記第一の支持部材は、上記外装筐体の一部であり、
上記第二の支持部材は、上記マウントベースである撮像装置。
【００９９】
（４）
（１）から（３）のいずれか１つに記載の撮像装置であって、
上記第一の支持部材の固有振動数は、上記第二の支持部材の固有振動数よりも低い撮像装置。
【０１００】
（５）
（１）から（４）のいずれか１つに記載の撮像装置であって、
上記第一の支持部材に上記第二の支持部材が直接固定されている撮像装置。
【０１０１】
（６）
（１）から（４）のいずれか１つに記載の撮像装置であって、
上記第一の支持部材と上記第二の支持部材の間に設けられた、上記第一の支持部材から上記第二の支持部材に伝わる振動を減衰させるための減衰部材を更に備え、
上記第一の支持部材に対し、上記第二の支持部材が上記減衰部材を介して固定されている撮像装置。
【０１０２】
（７）
（１）から（６）のいずれか１つに記載の撮像装置であって、
上記第一の支持部材は、上記受光面に垂直な方向から見た状態における上記像ぶれ補正ユニットよりも外側の位置、において上記シャッタ機構を支持している撮像装置。
【０１０３】
（８）
（１）から（７）のいずれか１つに記載の撮像装置であって、
上記シャッタ機構は、フォーカルプレーンシャッタである撮像装置。
【０１０４】
以上、図面を参照しながら各種の実施の形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。また、発明の趣旨を逸脱しない範囲において、上記実施の形態における各構成要素を任意に組み合わせてもよい。
【０１０５】
なお、本出願は、２０１８年７月２７日出願の日本特許出願（特願２０１８−１４１５７５）に基づくものであり、その内容は本出願の中に参照として援用される。
【産業上の利用可能性】
【０１０６】
本発明は、特にレンズ交換型のデジタルカメラ等に適用して利便性が高く、有効である。
【符号の説明】
【０１０７】
１００  デジタルカメラ
１０  外装筐体
１０ａ  開口
１１、１３、１４  孔部
２０  レンズマウント
５４  撮像素子
５４ａ  受光面
３０  マウントベース
３０ｋ  開口
３１、３２、３３  端部
３５  貫通孔
４０  シャッタ機構
４０ａ  開口
４１ａ、４３ａ、４４ａ  端部
４１、４３、４４  ネジ
５０  像ぶれ補正ユニット
５１ａ、５２ａ、５３ａ  端部
５１、５２、５３  ネジ
６１、６２  ネジ
２００  スマートフォン
２０１  筐体
２０２  表示パネル
２０３  操作パネル
２０４  表示入力部
２０５  スピーカ
２０６  マイクロホン
２０７  操作部
２０８  カメラ部
２１０  無線通信部
２１１  通話部
２１２  記憶部
２１３  外部入出力部
２１４  ＧＰＳ受信部
２１５  モーションセンサ部
２１６  電源部
２１７  内部記憶部
２１８  外部記憶部
２２０  主制御部
ＳＴ１〜ＳＴｎ  ＧＰＳ衛星
【図１】
0006872080.tif 000002
【図２】
0006872080.tif 000003
【図３】
0006872080.tif 000004
【図４】
0006872080.tif 000005
【図５】
0006872080.tif 000006
【図６】
0006872080.tif 000007
【図７】
0006872080.tif 000008
【図８】
0006872080.tif 000009
【図９】
0006872080.tif 000010
【図１０】
0006872080.tif 000011